(57)【要約】      （修正有）【課題】板式物体上に安定して挟持できるインターネットカメラを提供する。【解決手段】挟持基体２は、カメラ本体７と接続し、基体を含み、該基体が基体平面を有し、基体が基体平面から外向きに基体ガイド部を垂直に延伸し、基体ガイド部上にガイド溝を開設してなり、挟持滑動体３は、挟持基体と滑動的に１つに取り付けられ、該挟持滑動体は、滑動体を有し、滑動体は、基体平面と相対して平行する滑動体平面を有し、滑動体内に基体ガイド部を滑動的に収容できるガイド部収容室を形成し、滑動体がガイド部収容室内に向けて滑動溝内に滑動的に挿入できる滑動片を凸伸してなり、該少なくとも１つの弾性部材は、挟持基体と挟持滑動体の間に取り付けられる。該インターネットカメラは、板式物体上に安定して挟持されるだけではなく、板式物体を容易に摩擦損傷させることがない。【選択図】図２
0003144919.tif 000002
【実用新案登録請求の範囲】
【請求項１】
カメラ本体と、挟持基体と、挟持滑動体と、少なくとも１つの弾性部材と、を含み、
該挟持基体は、カメラ本体と接続し、基体を含み、該基体が基体平面を有し、基体が基体平面から外向きに基体ガイド部を垂直に延伸し、基体ガイド部上にガイド溝を開設してなり、
該挟持滑動体は、挟持基体と活動的に１つに取り付けられ、該挟持滑動体は、滑動体を有し、滑動体は、基体平面と相対して平行する滑動体平面を有し、滑動体内に基体ガイド部を滑動的に収容できるガイド部収容室を形成し、滑動体がガイド部収容室内に向けて滑動溝内に滑動的に挿入できる滑動片を凸伸してなり、
該少なくとも１つの弾性部材は、挟持基体と挟持滑動体の間に取り付けられるインターネットカメラ。
【請求項２】
前記基体上に２つの挟持足を固定し、該２つの挟持足の一側は、基体平面と平らであり、滑動体上に２つの挟持足を固定し、該２つの挟持足の一側は滑動体平面と平らである請求項１記載のインターネットカメラ。
【請求項３】
更に、底台を含み、該底台上に複数の挿入口を開設し、前記挟持足は、前記底台の挿入口内に挿入されることができる請求項２記載のインターネットカメラ。
【請求項４】
前記ガイド片上にフック口を開設し、基体ガイド部上に該基体ガイド部を貫通する長形の滑動溝を開設してなり、滑動溝内に滑動軸を挿入設置し、滑動軸の両端は、滑動溝から露出し、フック口内に係合固定されてなり、基体ガイド部上に嵌合部を固定し、嵌合部と滑動軸の相応する一端の間に前記弾性部材を取り付ける請求項１記載のインターネットカメラ。
【請求項５】
前記滑動軸中部に嵌合部を固定し、該嵌合部が２つのガイド片の間に嵌合される請求項４記載のインターネットカメラ。
【請求項６】
前記挟持基体が開口を有し、カメラ本体上に凸伸し、開口内に収容される接続部を有し、カメラ本体が接続部により挟持基体上にピン接合される請求項１記載のインターネットカメラ。
【考案の詳細な説明】
【技術分野】
【０００１】
本考案は、カメラに関し、特に、インターネットカメラに関する。
【背景技術】
【０００２】
インターネットカメラは、通常、挟持方式で板式物体の辺縁上に固定される必要がある。中国特許第200310116548号にインターネットカメラが開示され、それは、接続台、第１挟持アーム、第２挟持アームおよび弾性部材を含む。第１挟持アームは、接続台上に固定され、第２挟持アームは、弾性部材を介して接続台と弾性接続される。該インターネットカメラは、弾性部材の弾性作用の下、第１挟持アームと第２挟持アームによりノートブックコンピュータスクリーン、ＬＣＤスクリーン等の板式物体上に挟持されることができる。
【０００３】
しかしながら、上記インターネットカメラの板式物体上の第１挟持アームと第２挟持アームの間の挟み角は、鋭角であり、これは、第１挟持アームと第２挟持アームが辺角箇所において板式物体と接触し、挟持が不安定になり、板式物体表面を摩擦損傷する等の問題が容易に発生する。
【特許文献１】登録実用新案第３１３６７８０号公報
【考案の開示】
【考案が解決しようとする課題】
【０００４】
本考案の目的は、上記従来技術に存在する欠陥に対して板式物体上に安定して挟持ができるだけなく、板式物体を容易に摩擦損傷することがないインターネットカメラを提供することである。
【課題を解決するための手段】
【０００５】
上記の目的を達成する為、本考案が提供するインターネットカメラは、インターネットカメラ本体と、挟持基体と、挟持滑動体と、少なくとも１つの弾性部材を含む。該挟持基体は、カメラ本体と接続し、該挟持基体は、基体を含み、該基体は、基体平面を有し、基体は、基体平面の一側から外向き基体ガイド部を延伸し、該基体ガイド部上にガイド溝を開設する。前記挟持滑動体と挟持基体は、滑動的に１つに組み合わせることができ、滑動体を有し、該滑動体は、基体平面と相対し平行する滑動体平面を有し、滑動体内に基体ガイド部を滑動的に収容できる外部部収容室を形成し、滑動体は、ガイド部収容室内向きにガイド溝内に挿入できるガイド片を凸伸する。前記弾性部材は、挟持基体と挟持滑動体の間に取り付けられる。
本考案は、以下の特徴を有する。
（１）カメラ本体と、挟持基体と、挟持滑動体と、少なくとも１つの弾性部材と、を含み、該挟持基体は、カメラ本体と接続し、基体を含み、該基体が基体平面を有し、基体が基体平面から外向きに基体ガイド部を垂直に延伸し、基体ガイド部上にガイド溝を開設してなり、
該挟持滑動体は、挟持基体と活動的に１つに取り付けられ、該挟持滑動体は、滑動体を有し、滑動体は、基体平面と相対して平行する滑動体平面を有し、滑動体内に基体ガイド部を滑動的に収容できるガイド部収容室を形成し、滑動体がガイド部収容室内に向けて滑動溝内に滑動的に挿入できる滑動片を凸伸してなり、
該少なくとも１つの弾性部材は、挟持基体と挟持滑動体の間に取り付けられるインターネットカメラ。
（２）前記基体上に２つの挟持足を固定し、該２つの挟持足の一側は、基体平面と平らであり、滑動体上に２つの挟持足を固定し、該２つの挟持足の一側は滑動体平面と平らである（１）記載のインターネットカメラ。
（３）更に、底台を含み、該底台上に複数の挿入口を開設し、前記挟持足は、前記底台の挿入口内に挿入されることができる（２）記載のインターネットカメラ。
（４）前記ガイド片上にフック口を開設し、基体ガイド部上に該基体ガイド部を貫通する長形の滑動溝を開設してなり、滑動溝内に滑動軸を挿入設置し、滑動軸の両端は、滑動溝から露出し、フック口内に係合固定されてなり、基体ガイド部上に嵌合部を固定し、嵌合部と滑動軸の相応する一端の間に前記弾性部材を取り付ける（１）記載のインターネットカメラ。
（５）前記滑動軸中部に嵌合部を固定し、該嵌合部が２つのガイド片の間に嵌合される（４）記載のインターネットカメラ。
（６）前記挟持基体が開口を有し、カメラ本体上に凸伸し、開口内に収容される接続部を有し、カメラ本体が接続部により挟持基体上にピン接合される（１）記載のインターネットカメラ。
【考案の効果】
【０００６】
本考案のインターネットカメラは、基体平面と滑動体平面によって板式物体上に挟持されることができ、基体平面および滑動体平面と挟持される物体との間の接触方式は、面接触であり、該インターネットカメラは、板式物体上に安定固定されることができ、且つ板式物体を容易に摩擦損傷させることがない。
【考案を実施するための最良の形態】
【０００７】
本考案の技術的内容、構造特徴、達成する効果を詳細に説明する為、以下に実施例を挙げ、図面に合わせて説明する。
【０００８】
図１及び図２において、本考案は、インターネットカメラ１００は、底台１と、挟持基体２と、挟持滑動体３と、滑動軸４と、２つの弾性部材５、ＵＳＢコネクタ６と、カメラ本体７とを含む。前記ＵＳＢコネクタ６は、カメラ主体７と電気接続する。
【０００９】
図２において、前記底台１は、長方形板状を呈し、その上に２つの長円形を呈する挿入口１１を開設し、挿入口１１は、底台１の上表面及び下表面を貫通する。
【００１０】
図２及び図４において、前記挟持基体２は、上基体２１と、下基体２２と、挟持構造２３と、を含む。前記上基体２１は、半片円柱形状を呈し、且つ半片円柱の一端が弧形を呈する上基体基部２１１を有し、該上基体基部２１１の前部は、方形を呈する開口２１２を凹陥形成する。上基体基部２１１の下部辺縁は、開口２１２下方に位置する接続壁２１３を接続し、該接続壁２１３両側にそれぞれ上向きに開口２１２内に位置する方形を呈する支持部２１４を凸伸し、該２つの支持部２１４上にそれぞれ支持部２１４の左右両側を貫通する円形の軸孔２１５を開設する。前記上基体基部２１１の左右両側内壁にそれぞれ下向きに嵌合部２１６を凸伸する。
【００１１】
前記上基体基部２１１の後端縁に第１突合せ接合面２１７を形成する。第１突合せ接合面２１７の中部は、第１突合せ接合面２１７に垂直に後ろ向きに半方形フレーム状の第１突合せ接合部２１８を延伸し、該第１突合せ接合部２１８の左右両側壁にそれぞれ前後に延伸する長方形の滑動溝２１８１を開設し、該２つの滑動溝２１８１の上部溝壁前端箇所にそれぞれ該滑動溝２１８１と連通する挿入口２１８２を開設する。該滑動溝２１８１と挿入口２１８２は、いずれも第１突合せ接合部２１８の側壁を貫通する。前記第１突合せ接合部２１８両側前部箇所にそれぞれ円柱形のフック部２１８３を凸伸する。
【００１２】
図２〜図４において、前記下基体２２は、殻体状且つ殻体外部が半片円柱形状を呈し且つ半片円柱の一端が弧形を呈する下基体基部２２１を有し、下基体基部２２１の後端縁に第２突合せ接合面２２２を形成する。第２突合せ接合面２２２の中部は、第２突合せ接合面２２２に垂直に後ろ向きに半方形フレーム状の第２突合せ接合部２２３を延伸する。下基体基部２２１下部表面に第２突合せ接合面２２２まで延伸する第１収容溝２２４を凹陥形成する。第１収容溝２２４の溝壁上に２つの第１固定溝２２４１を開設する。前記下基体基部２２１の左右両側内壁にそれぞれ前記嵌合部２１６と対応する嵌合溝２２５を開設し、該嵌合溝２２５は、前記嵌合部２１６と嵌合し、それにより、上基体２１と下基体２２が１つに嵌合できる。前記第２突合せ接合部２２３の底壁左右両側にそれぞれ前後に延伸する長方形のガイド溝２２６を開設し、該ガイド溝２２６が第２突合せ接合部２２３の底壁を貫通する。
【００１３】
前記第１突合せ接合面２１７と第２突合せ接合面２２２は、共同で基体平面２４を構成する（図３参照）。前記上記基体基部２１１と、下基体基部２２１と、基体平面２４とが共同で殻体状且つ殻体外部が円柱状を呈し、且つ円柱状の一端が弧形を呈する基体（図中に符号を示さず）を構成する。前記第１突合せ接合部２１８と第２突合せ接合部２２３は、１つに嵌合し、基体ガイド部２５を構成する。
【００１４】
前記挟持構造２３は、弧形の支持体２３１を含み、該支持体２３１は、下基体２２の第１収容溝２２４内に固定収容される。支持体２３１両端外側は、それぞれ下向きに湾曲状を呈する挟持足２３２を凸伸形成し、該２つの挟持足２３２の一側は、基体平面２４と平らである。前記支持体２３１両端内側にそれぞれ上向きに嵌合部２３３を凸伸し、嵌合部２３３は、第１固定溝２２４１内に嵌合し、それにより、挟持構造２３と下基体２２の接続を実現する。前記挟持足２３２は、前記底台１の挿入口１１内に挿入することができる。
【００１５】
図２及び図５において、前記挟持滑動体３は、上滑動体３１と、下滑動体３２と、挟持構造３３を含む。上滑動体３１は、殻体状且つ殻体外部が半片円柱形状を呈し且つ半片円柱の一端が弧形を呈する上滑動基部３１１を有する。上滑動体基部３１１前端に第３突合せ接合面３１２を形成する。該第３突合せ接合面３１２中部に方形の第１突合せ接合３１３及び第１突合せ接合口３１３の両側下部箇所に位置する２つの収容溝３１４を開設し、該収容溝３１４は、何れも第１突合せ接合口３１３と連通する。
【００１６】
前記下滑動体３２は、殻体状且つ殻体外部が半片円柱形状を呈し、且つ半片円柱の一端が弧形を呈する下滑動基部３２１を有し、下滑動体基部３２１前端に第４突合せ接合面３２２を形成する。前記下滑動基部３２１下部表面に第４突合せ接合面３２２まで延伸する第２収容溝３２３を凹陥形成し、該第２収容溝３２３溝壁上に複数の第２固定溝３２３１を開設する。前記下滑動基部３２１内壁は、上向きに２つの相互に平行な方形のガイド片３２４を凸伸し、該ガイド片３２４の上部にそれぞれ半円形のフック口３２４１を開設する。前記第４突合せ接合面３２２上にそれぞれ方形の第２突合せ接合口３２５を開設する。
【００１７】
図２において、前記挟持構造３３は、挟持構造２３と同一構造であり、相応して支持体３３１、２つの挟持足３３２および２つの嵌合部３３３を有する。該支持体３３１は、第２収容溝３２３内に収容され、嵌合部３３３は、前記第２固定溝３２３１内に相応して嵌合し、それにより挟持構造３３と下滑動体３２の接続を実現する。
【００１８】
図２及び図５において、前記第３突合せ接合面３１２と第４突合せ接合面３２２は、同一平面内に位置し、共同で滑動体平面３４を構成する。該滑動平面３４は、前記挟持構造２３の２つの挟持足２３２の一側と平らであり、前記基体平面２４と平行である（図３参照）。前記上滑動体基部３１１および下滑動体基部３２１と、滑動体平面３４は、共同で滑動体（図中に符号を示さず）を構成する。前記上滑動体３１及び下滑動体３２は、１つに嵌合し、ガイド部収容室３５を囲む。
【００１９】
図２及び図３において、前記滑動軸４は、滑動バー４１を含み、該滑動バー４１の中部に方形の嵌合部４２を固定する。滑動軸４は、挿入口２１８２箇所から挿入され、滑動溝２１８１の間に組み込まれ、且つ滑動バー４１の両端は、何れも第１突合せ接合部２１８の側壁外に延伸する。
【００２０】
図１及び図２において、前記カメラ本体７は、長方体状呈する本体部７１を有する。該本体部７１の前部に回転を介して焦点距離を調節できるレンズ７２を取り付ける。前記本体部７１の表面後部に下向きに接続部７３を凸伸し、該接続部の両端にそれぞれ外向きに円柱形の回転軸７３１を凸伸する。
【００２１】
本考案のインターネットカメラ１００を取り付ける時、前記挟持基体２の基体ガイド部２５が挟持滑動体３のガイド部収容室３５内に挿入される。前記ガイド片３２４がガイド溝２２６内に挿入され、そのフック口３２４１は、滑動バー４１の両端に嵌合され、滑動軸４の嵌合部４２は、２つのガイド片３２４の間に嵌合され、それにより、滑動軸４は、２つの滑動溝２１８１の間に鑑定して取り付けられることができる。前記弾性部材５の一端は、嵌合部２１８３上に嵌合され、もう一端は、滑動軸４の一端に嵌合される。前記カメラ本体７の回転軸７３１は、軸孔２１５内に挿入される。
【００２２】
カメラ本体７の接続部７３は、開口２１２内に収容され、カメラ本体７は、接続部７３上の回転軸７３１が軸孔２１５内に挿入されることによって、挟持基体２上にピン接合され、この種の回転軸４４及び軸孔２１５の接続方式は、使用者がカメラ本体７を調整することが便利であり、それにより、レンズ７２の位置と角度の変化を実現し、便利に使用することができる。
【００２３】
収容溝３１４が嵌合部２１８３と滑動軸４の一端を避けることができることによって、弾性部材５の弾力作用を介して基体平面２４と滑動体平面３４の距離の変化を実現し、即ち、挟持基体２と挟持滑動体３を引き離し、ガイド片３２４に滑動軸４を引きながら滑動溝２１８１に沿って運動させることができ、それにより挟持基体平面２４と滑動体平面３４の距離の増大を実現する。ガイド片３２４が滑動軸４を連動して一緒に運動することによって、弾性部材５が引き伸ばされ、挟持基体２と挟持滑動体３を開き離す時、基体平面２４と滑動体平面３４は、弾性部材５の弾力を介して相互に接近する（図３参照）。
【００２４】
上記のように、本考案のインターネットカメラ１００は、挟持構造２３の挟持足２３２及び挟持構造３３の挟持足３３２が弾性部材の弾力により接近し１つになり、底台１の挿入口１１内に挿入されることができるので、インターネットカメラ１００は、底台１を介して台面上に安定して配置されることができる。インターネットカメラ１００は、基体平面２４と滑動体平面３４を介して板式物体を挟持できるので、インターネットカメラ１００と板式物体の間の接触方式は、面と面の接触であり、この種の面と面の接触方式は、挟持を安定させ、該インターネットカメラ１００が板式物体上に鑑定して挟持されることができ、且つ板式物体を容易に摩擦損傷させることがない。
【図面の簡単な説明】
【００２５】
【図１】本考案のインターネットカメラの実施例の立体構成図である。
【図２】図１に示すインターネットカメラの挟持基体及び挟持滑動体を一定距離離した時の立体図である。
【図３】図１に示すインターネットカメラの挟持基体の立体構成図である。
【図４】図１に示すインターネットカメラの挟持滑動体の立体構成図である。
【図５】図１に示すインターネットカメラの挟持滑動体の立体構成図である。
【符号の説明】
【００２６】
１００  インターネットカメラ
１  底台
１１  挿入口
２  挟持基体
２１  上基体
２１１  上基体基部
２１２  開口
２１３  接続壁
２１４  支持部
２１５  軸孔
２１６  嵌合部
２１７  第１突合せ接合面
２１８  第１突合せ接合部
２１８１  滑動溝
２１８２  挿入口
２１８３  フック部
２２  下基体
２２１  下基体基部
２２２  第２突合せ接合面
２２３  第２突合せ接合部
２２４  第１収容溝
２２４１  第１固定溝
２２５  嵌合溝
２２６  ガイド溝
２３，３３  挟持構造
２３１，３３１  支持体
２３２，３３２  挟持足
２３３  嵌合部
２４  基体平面
２５  基体ガイド部
３  挟持滑動体
３１  上滑動体
３１１  上滑動体基部
３１２  第３突合せ接合面
３１３  第１突合せ接合口
３１４  収容溝
３２  下滑動体
３２１  下滑動体基部
３２２  第４突合せ接合面
３２３  第２収容溝
３２３１  第２固定溝
３２４  ガイド片
３２４１  フック口
３２５  第２突合せ接合口
３４  滑動体平面
３５  ガイド部収容室
４  滑動軸
４１  滑動バー
４２  係合部
５  弾性部材
６  ＵＳＢコネクタ
７  カメラ本体
７１  本体部
７２  レンズ
７３  接続部
７３１  回転軸
【図１】
0003144919.tif 000003
【図２】
0003144919.tif 000004
【図３】
0003144919.tif 000005
【図４】
0003144919.tif 000006
【図５】
0003144919.tif 000007